(57)【要約】【課題】簡単な操作でポケットを保護できるポケットファイルを提供する。【解決手段】複数のポケット１６が厚さ方向に積み重ねられたポケット群１４を収容できるポケット収容部２６を表紙体１２に設けたポケットファイル１０が提供される。そのポケット収容部２６は、表紙体１２の少なくとも一つの角部２４ａ付近に重ね合わされたシート体２８を備える。具体的には、シート体２８を表紙体１２の右側辺２２ｃに沿って溶着してなる第１の溶着部３０と、シート体２８を表紙体１２の上辺２２ａと平行な折目３２で表紙体１２側に折り返してなる折返部３４と、折返部３４の先端部を表紙体１２に溶着してなる第２の溶着部３６と、を備える。【選択図】図１
2019198992.tif 000002
【特許請求の範囲】
【請求項１】
複数のポケットが厚さ方向に積み重ねられたポケット群と、
表表紙、背表紙及び裏表紙を有し、前記表表紙と前記裏表紙との間に前記ポケット群が固定された表紙体と、
前記表紙体の少なくとも一つの角部付近に重ね合わされたシート体よりなるポケット収容部と、を備え、
前記ポケット収容部は、
前記シート体と前記表紙体との間の隙間を前記表紙体の側辺に沿って封鎖してなる側辺封鎖部と、
前記シート体を前記表紙体の上辺又は底辺と略平行な折目で前記表紙体側に折り返してなる折返部と、
前記折返部の先端部を前記表紙体に接合してなる接合部と、
を有することを特徴とするポケットファイル。
【請求項２】
請求項１記載のポケットファイルであって、前記折返部が前記ポケット収容部よりも外側にせり出した案内部を有することを特徴とするポケットファイル。
【請求項３】
請求項１又は２に記載のポケットファイルであって、前記シート体は前記側辺封鎖部で溶着されていることを特徴とするポケットファイル。
【請求項４】
請求項１又は２に記載のポケットファイルであって、前記シート体は前記表紙体の側辺側から一体的に伸び出て形成されており、前記ポケット収容部の前記側辺封鎖部は、前記シート体を前記表紙体の側辺に沿って内側に折り返して形成されていることを特徴とするポケットファイル。
【請求項５】
請求項１〜４のいずれか１項に記載のポケットファイルであって、前記側辺封鎖部は、前記表紙体の上辺又は底辺から離間していることを特徴とするポケットファイル。
【請求項６】
請求項１〜５のいずれか１項に記載のポケットファイルであって、前記シート体には、前記表紙体の角部付近の一部を切り欠いてなる切欠部が形成されていることを特徴とするポケットファイル。
【請求項７】
請求項１〜６のいずれか１項に記載のポケットファイルであって、前記折目と前記側辺封鎖部との間の前記折返部に、前記折目と略平行な溝部が形成されていることを特徴とするポケットファイル。
【請求項８】
請求項１〜７のいずれか１項に記載のポケットファイルであって、前記折目の近傍の前記シート体に前記折目と略平行な溝部が形成されていることを特徴とするポケットファイル。
【請求項９】
請求項１又は２に記載のポケットファイルであって、前記ポケット収容部は、前記シート体を前記表紙体の側辺に沿って折り返してなる折返部を備え、前記側辺封鎖部は前記折返部の先端部に設けられていることを特徴とするポケットファイル。
【請求項１０】
請求項１〜９のいずれか１項に記載のポケットファイルであって、前記ポケット収容部は、前記表紙体の上辺側の角部に設けられていることを特徴とするポケットファイル。
【発明の詳細な説明】
【技術分野】
【０００１】
本発明は、複数のポケットを冊子状に束ねたポケットファイルに関する。
【背景技術】
【０００２】
従来より、複数のポケットを冊子状に束ねたポケットファイルが種々提案されている。例えば、特許文献１には、表表紙と背表紙と裏表紙とが連なった表紙の背表紙の部分に複数のポケットを溶着して冊子状に束ねたポケットファイルが示されている。
【０００３】
また、特許文献２には、表表紙と裏表紙の内側に、ポケットを見開いた状態に保持するポケット保持部を設けたポケットファイルが示されている。
【先行技術文献】
【特許文献】
【０００４】
【特許文献１】特開２０１７−１６５０８８号公報
【特許文献２】特開２００５−５９４２１号公報
【発明の概要】
【発明が解決しようとする課題】
【０００５】
ポケットファイルに使用されるポケットは、透明な樹脂シートを袋状に形成されている。そのポケットには、比較的薄い樹脂シートが使用されているものもあり、この場合には、ポケット自体の腰が弱く、ポケットが自重で撓んで曲がってしまうことがある。
【０００６】
そのため、ポケットファイルを立てた状態で長期間放置していると、いつの間にかポケットが折れ曲がってしまい、さらには、ポケットが曲がった状態に癖づいてしまうことがある。
【０００７】
また、特許文献２のようなポケット保持部でポケットを保持することも考えられるが、全てのポケットを一カ所のポケット保持部にまとめて挿入することは容易ではなく、全てのポケットを保護する使い方には向いていない。
【０００８】
本発明は、ポケットの保護に好適なポケットファイルを提供することを目的とする。
【課題を解決するための手段】
【０００９】
前記の目的を達成するために、本発明に係るポケットファイルは、複数のポケットが厚さ方向に積み重ねられたポケット群と、表表紙、背表紙及び裏表紙を有し、前記表表紙と前記裏表紙との間に前記ポケット群が固定された表紙体と、前記表紙体の少なくとも一つの角部付近に重ね合わされたシート体よりなるポケット収容部と、を備え、前記ポケット収容部は、前記シート体と前記表紙体との間の隙間を前記表紙体の側辺に沿って封鎖してなる側辺封鎖部と、前記シート体を前記表紙体の上辺又は底辺と略平行な折目で前記表紙体側に折り返してなる折返部と、前記折返部の先端部を前記表紙体に接合してなる接合部と、を有することを特徴とする。
【００１０】
上記のポケットファイルによれば、表紙体の角部にポケット収容部を設けている。そのポケット収容部を構成するシート体には、上辺（又は底辺）に平行な折返部を設けている。このような折返部を設けたことにより、シート体には折り返しに対する反発力が作用し、シート体が表紙体から離間する方向に付勢される。その結果、ポケット収容部を構成するシート体と表紙体との間に間隙が生まれるため、厚みのあるポケット群であっても、ポケット収容部にスムーズに挿入することができる。
【００１１】
上記のポケットファイルにおいて、前記折返部が前記ポケット収容部よりも外側にせり出した案内部を有していてもよい。
【００１２】
ポケット群をポケット収容部に挿入する場合には、ポケット群を表紙体の内側面に沿わせて移動させてゆく。その際に、ポケット収容部の内側に折返部による段差があると、腰の弱いポケットの一部が折返部の段差に引っ掛かって折れ曲がってしまうことがある。そのため、ポケットの折れ曲がりを直しながらポケット群を何度もポケット収容部に入れ直す必要がある。これに対し、上記のように、折返部をポケット収容部の外側にせり出すように形成することで、ポケット群を折返部に沿わせるよう移動させることができる。すなわち、表紙体と折返部との段差を通過させることなく、ポケット群をポケット収容部内に挿入することが可能となる。
【００１３】
上記のポケットファイルにおいて、前記シート体は前記側辺封鎖部で溶着されていてもよい。
【００１４】
上記のように、シート体を折り返すことなく側辺封鎖部で溶着すると、側辺封鎖部付近でポケット収容部を構成するシート体と表紙体との隙間が狭くなる。そのため、ポケット群がシート体と表紙体とに挟まれて保持され、ポケット群がポケット収容部から抜けにくくなる効果が得られる。
【００１５】
上記のポケットファイルにおいて、前記シート体は前記表紙体の側辺側から一体的に伸び出て形成されており、前記ポケット収容部の前記側辺封鎖部は、前記シート体を前記表紙体の側辺に沿って内側に折り返して形成されていてもよい。
【００１６】
ポケット収容部を構成するシート体を表紙体と一体的なものとしてもよい。この場合には、側辺封鎖部において折り返すと構造が簡素化されて好適である。
【００１７】
上記のポケットファイルにおいて、前記側辺封鎖部は、前記表紙体の上辺又は底辺から離間していてもよい。
【００１８】
このように、側辺封鎖部を表紙体の上辺（又は底辺）から離間させておくことで、ポケット収容部を構成するシート体が折返部付近で変形しやすくなる。そのため、厚みのあるポケット群を容易に挿入することが可能となる。
【００１９】
上記のポケットファイルにおいて、前記シート体には、前記表紙体の角部付近の一部を切り欠いてなる切欠部が形成されていてもよい。
【００２０】
上記のように、ポケット収容部の角部付近を切り欠くことで、ポケット群をポケット収容部に挿入する際に、ポケットの角部の折れ曲がる不具合を防止できる。
【００２１】
上記のポケットファイルにおいて、前記折目と前記側辺封鎖部との間の前記折返部に、前記折目と略平行な溝部を設けてもよい。
【００２２】
上記のように、折返部に折目と略平行な溝部を設けておくことで、ポケット収容部が厚み方向に柔軟に変形しやすくなり、書類を収容して厚みが増したポケット群を容易に収容することができる。
【００２３】
上記のポケットファイルにおいて、前記折目の近傍の前記シート体に前記折目と略平行な溝部を設けてもよい。
【００２４】
上記のように、折目の近傍のシート体に、折目と略平行な溝部を設けることで、ポケット収容部の厚み方向への変位が更に容易になり、ポケット群の挿入がより簡単となる。
【００２５】
上記のポケットファイルにおいて、前記ポケット収容部は、前記シート体を前記表紙体の側辺に沿って折り返してなる折返部を備え、前記側辺封鎖部は前記折返部の先端部に設けてもよい。
【００２６】
上記のように、ポケット収容部の折返部を上辺（又は底辺）側だけでなく、側辺側に設けた場合にも、ポケット群を容易に収容することができる。
【００２７】
上記のポケットファイルにおいて、前記ポケット収容部は、前記表紙体の上辺側の角部に設けられていてもよい。
【００２８】
上記のようにポケット収容部を表紙体の上辺側の角部に設けておくと、立てた状態において、ポケットの上部を表紙体と一体的に束ねておくことができる。その結果、ポケットファイルを立てた状態において、腰が弱いポケットが自重で撓んで変形するのを防止できる。
【発明の効果】
【００２９】
本発明に係るポケットファイルによれば、簡単な操作でポケットをポケット収容部に挿入して保護できる。
【図面の簡単な説明】
【００３０】
【図１】本発明の実施形態に係るポケットファイルの斜視図である。
【図２】図１のポケット収容部の拡大平面図である。
【図３】図２のIII−III線に沿った断面図である。
【図４】図２のＩＶ−ＩＶ線に沿った断面図である。
【図５】図１のポケット収容部の使用方法を示す斜視図である。
【図６】図１のポケット収容部にポケット群を収容した状態を示す斜視図である。
【図７】本発明の第２の実施形態に係るポケットファイルの拡大平面図である。
【図８】図７のポケット収容部の展開図である。
【図９】図７のＩＸ−ＩＸ線に沿った断面図である。
【図１０】図７のＸ−Ｘ線に沿った断面図である。
【発明を実施するための形態】
【００３１】
以下、本発明の好適な実施形態を挙げ、添付の図面を参照して詳細に説明する。なお、図面の寸法比率は、説明の都合上、誇張されて実際の比率とは異なる場合がある。また、以下の説明において、ポケットファイルを見開いた状態でポケットの開口部が位置する側を「上部」又は「上側」と呼び、その反対側を「下部」又は「下側」とよぶ。
【００３２】
（第１の実施形態）
本実施形態に係るポケットファイル１０は、図１のように、表紙体１２と、表紙体１２の内側に固定されたポケット群１４とを備える。
【００３３】
表紙体１２は、可撓性のある厚手の樹脂シートよりなり、ポケット群１４を保護する機能を担っている。表紙体１２を構成する樹脂シートには、例えば、ポリプロピレン、ポリエチレン、ポリエステル、ポリ塩化ビニル等の熱可塑性樹脂を用いることができる。これらの熱可塑性樹脂は、熱溶着により表紙体１２にポケット等の部品を接合することが可能である。なお、表紙体１２は、厚手の紙等で構成してもよい。
【００３４】
表紙体１２は、表表紙１８と、背表紙２０と、裏表紙２２とを備える。表表紙１８と裏表紙２２とは、背表紙２０を介して一体的に繋がって形成されている。表表紙１８と背表紙２０との境界部分及び背表紙２０と裏表紙２２との境界部分には、それぞれ肉薄の溝状に形成されたヒンジ部が形成されている。ヒンジ部を起点に表表紙１８又は裏表紙２２を回動させることにより、図示の見開いた状態から、表表紙１８と背表紙２０とが対向するように閉じた状態へと容易に折り曲げることができる。
【００３５】
表表紙１８は矩形状に形成され、その上端部には上辺１８ａが形成され、下端部には底辺１８ｂが形成され側端部には左側辺１８ｃが形成されている。図５及び図６に示すように、表表紙１８の内側には、ポケット１９ａ及びポケット１９ｂが設けられている。ポケット１９ａは、角部２４ｃに設けられ、扇状の樹脂シートを底辺１８ｂ及び左側辺１８ｃに溶着して形成される。また、ポケット１９ｂは、角部２４ｂに設けられ、扇状の樹脂シートを左側辺１８ｃ及び上辺１８ａに溶着して形成される。これらのポケット１９ａ及びポケット１９ｂには、薄手の書類等を挟んで収納することができる。
【００３６】
図１に示すように、裏表紙２２は、表表紙１８と同じ大きさの矩形状に形成されており、その上端部には上辺２２ａが形成され、下端部には底辺２２ｂが形成され、側端部には右側辺２２ｃが形成されている。上辺２２ａと右側辺２２ｃとが交わる角部２４ａ付近には、ポケット群１４をまとめて収容可能なポケット収容部２６が設けられている。ポケット収容部２６については、後にさらに詳細に説明する。
【００３７】
背表紙２０には、複数のポケット１６を厚み方向に積み重ねてなるポケット群１４が溶着されている。ポケット群１４は、見開いた表紙体１２の上に、矩形状の袋体を厚み方向に積み重ね、それらの袋体の幅方向の中央部を背表紙２０に溶着して接合することで形成できる。なお、ポケット１６は、予め袋体状に形成されたものを、背表紙２０に溶着したものであってもよい。また、ポケット１６の溶着部位は、背表紙２０に限定されるものではなく、表表紙１８又は裏表紙２２であってもよい。さらに、ポケット群１４を構成するポケット１６は、背表紙２０等に取り付けられた綴じ具に綴じ込んだものであってもよい。
【００３８】
ポケット１６は、例えば、厚みが０．０５ｍｍ程度の比較的薄手の樹脂フィルムよりなり、上部に開口部１６ａが設けられている。この開口部１６ａを挿入口として、その内部に用紙等を挿入することができる。ポケット１６を構成する樹脂フィルムは、薄手のものに限定されるものではなく、例えばクリアフォルダ等に使用される０．１ｍｍ程度の樹脂フィルムであってもよい。
【００３９】
図２に示すように、ポケット収容部２６は、シート体２８と、第１の溶着部３０と、折返部３４と、第２の溶着部３６と、を備えている。
【００４０】
シート体２８は、略三角形状に形成されており、角部２４ａの付近の上辺２２ａと、右側辺２２ｃとの間の裏表紙２２を覆うように配置されている。このシート体２８は、可撓性を有する樹脂シートによって構成されており、その厚みは例えば、０．１ｍｍ〜０．３５ｍｍ程度の厚みを有している。ポケット群１４の挿入を容易にするべく、シート体２８の表面は、光沢を有する平滑な表面としておくことが好ましい。
【００４１】
シート体２８の側端部２８ａは、裏表紙２２の右側辺２２ｃと同じ位置に配置される。また、シート体２８の角部２４ａ付近にはシート体２８を斜めに切り欠いてなる切欠部４０が形成されている。切欠部４０よりも角部２４ａ寄りの部分は、シート体２８で覆われておらず、裏表紙２２が露出している。
【００４２】
シート体２８は、側端部２８ａ付近で、第１の溶着部３０により裏表紙２２に溶着されている。第１の溶着部３０は、裏表紙２２の右側辺２２ｃに沿って、右側辺２２ｃと平行に伸びている。この第１の溶着部３０は、図４に示すように、シート体２８を折り返すことなく、そのまま裏表紙２２に溶着した部分であり、第１の溶着部３０付近では、シート体２８と裏表紙２２とが隙間なく接触している。第１の溶着部３０は、シート体２８の下端２８ｃから切欠部４０までの範囲にまで形成されている。すなわち、第１の溶着部３０は、角部２４ａから所定距離だけ離間している。これにより、ポケット収容部２６の角部２４ａにポケット群１４を挿入した際に、ポケット群１４の厚みに応じてシート体２８が柔軟に変形可能となる。
【００４３】
図２に示すように、シート体２８の第１の溶着部３０の側部には、第１の溶着部３０と平行に伸びる溝部４６が形成されている。溝部４６は、シート体２８が肉薄に形成されており、その溝部４６を起点にシート体２８が厚み方向に変形可能となっている。
【００４４】
シート体２８には、裏表紙２２の上辺２２ａ及び右側辺２２ｃに対して傾斜した入口部２８ｂが形成されている。その入口部２８ｂの近傍のシート体２８には、溝部４８が形成されている。この溝部４８を設けることにより、図４に示すように入口部２８ｂが裏表紙２２から持ち上がる方向に変形している。
【００４５】
図２に示すように、シート体２８の上端には、折目３２が形成されている。折目３２は、裏表紙２２の上辺２２ａと同じ位置に、上辺２２ａと略平行に形成されている。シート体２８は、折目３２で裏表紙２２側に折り返されており、その折り返された部分が折返部３４を構成する。
【００４６】
折返部３４は、第２の溶着部３６、案内部３８、溝部４２、４４を有している。案内部３８は、折返部３４の背表紙２０側の一端がシート体２８からせり出した部分であり、折返部３４と一体的に形成されている。案内部３８の端部３８ａは、ポケット１６と引っ掛かることがないように滑らかな曲線で構成することが好ましい。
【００４７】
第２の溶着部３６は折返部３４の下端部３４ａに沿って形成されており、この第２の溶着部３６により、折返部３４が裏表紙２２に溶着されている。また、溝部４２は、第２の溶着部３６と折目３２との間の折返部３４に形成されている。この溝部４２は、折返部３４を溝状に肉薄に形成した部分であり、上辺２２ａと略平行に形成されている。図３に示すように、溝部４２を起点に折返部３４から折目３２が厚み方向に持ち上がる方向に変形することが可能となっている。
【００４８】
図２に示すように、溝部４４は折目３２と平行に形成されている。溝部４４は、折目３２の近傍のシート体２８及び折返部３４に形成されている。この溝部４４を設けることにより、ポケット収容部２６が厚み方向に広がりやすくなっている。
【００４９】
実施形態に係るポケットファイル１０は、以上のように構成され、以下その作用について説明する。
【００５０】
図６に示すように、本実施形態のポケットファイル１０は、ポケット群１４をまとめてポケット収容部２６に収容して使用する。ポケット収容部２６にポケット群１４を挿入する場合には、ポケット群１４の先端の角部１４ａを折返部３４の案内部３８の上に乗せ、その角部１４ａを折返部３４に沿わせるようにして右側辺２２ｃ側に向けて移動させてゆく。このように、ポケット収容部２６からせり出すように案内部３８を設けておくことで、折返部３４に沿ってスムーズにポケット群１４を沿わせて移動させることができる。すなわち、ポケット群１４が、折返部３４と裏表紙２２との段差に引っ掛かるのを防止しつつ、折返部３４に沿わせることができ、ポケット１６の折れ曲がりを防止できる。
【００５１】
また、ポケット収容部２６において、シート体２８の上端部の折目３２では、元の形状に戻ろうとする復元力が作用する。図３に示すように、この復元力によって、折返部３４の溝部４２よりも上端側の部分が裏表紙２２から持ち上がるように変形する。さらに、折目３２で折り返されたシート体２８が、厚み方向に浮き上がる。その結果、シート体２８と裏表紙２２との間に間隙が生じる。このような隙間を有することにより、厚みのあるポケット群１４をシート体２８と裏表紙２２との隙間に容易に挿入することができる。
【００５２】
また、折目３２の近傍に設けられた溝部４４によって、シート体２８が厚み方向に容易に広がることができる。これにより、用紙を収容して膨らんだポケット群１４でも、容易にポケット収容部２６に挿入することができる。
【００５３】
また、本実施形態では、図４に示すように、シート体２８の入口部２８ｂに設けられた溝部４８によって、入口部２８ｂが裏表紙２２から持ち上がる方向に変形しているため、さらにポケット群１４をポケット収容部２６に入れやすくなっている。そのため、図５に示すように、案内部３８から折返部３４に沿ってポケット群１４を移動させるだけで、ポケット群１４をポケット収容部２６に挿入することができる。
【００５４】
図４に示すように、ポケット収容部２６の第１の溶着部３０では、シート体２８が折り返されることなく、そのまま裏表紙２２に溶着されている。これにより、第１の溶着部３０付近において、ポケット収容部２６と裏表紙２２との隙間が狭くなっている。ポケット群１４をポケット収容部２６に完全に挿入すると、ポケット群１４の先端に、図中の矢印に示すように、シート体２８と裏表紙２２とで挟み込む力が作用する。これにより、ポケット群１４のポケット収容部２６からの脱落を防止でき、ポケット群１４が自重で撓んでしまうのを防止できる。
【００５５】
以上のような本実施形態のポケットファイル１０によれば、ポケット群１４をまとめてポケット収容部２６に収容して保護することができる。ポケット群１４は、ポケット収容部２６によって、裏表紙２２と一体的に保持される。その結果、ポケットファイル１０を立てた状態で放置しても、ポケット群１４を構成するポケット１６が自重で撓んで折れ曲がってしまうことを防止できる。
【００５６】
また、ポケット群１４をポケット収容部２６で保護することにより、例えば、カバン等にポケットファイル１０を出し入れする際に、カバン内の他の収容物と接触してポケット１６やポケット１６に収容した書類が折れ曲がってしまう不具合を防止できる。さらに、ポケット収容部２６は、ポケット１６の開口部１６ａの少なくとも一部を塞ぐことができるので、ポケット１６内の書類の脱落を防止することもできる。また、ポケット収容部２６に、任意のページのポケット１６を挟んでおくことで、しおりとして使用することも可能である。
【００５７】
（第２の実施形態）
以下、図７〜図１０を参照しつつ、本発明の第２の実施形態に係るポケットファイル１０Ａについて説明する。本実施形態に係るポケットファイル１０Ａは、図７に示すように、表紙体１２の裏表紙２２の上辺２２ａ及び右側辺２２ｃの角部２４ａ付近に、シート体５２によって形成されてなるポケット収容部５０が形成されている。
【００５８】
ポケットファイル１０Ａにおいて、表紙体１２を構成する材料には、樹脂シート又はコート紙等の厚手の紙等が好適に用いられる。
【００５９】
ポケット収容部５０の基本構造は、図１に示すポケット収容部２６と同様であり、裏表紙２２の内側の面に、シート体５２を貼り付けることで、厚手のポケットを構成したものであり、ポケット群１４をまとめて、収容可能となっている。
【００６０】
ポケット収容部５０は、シート体５２を備えてなり、その上辺付近には折返部５４が設けられている。折返部５４は、シート体５２を、裏表紙２２の上辺２２ａに沿って略平行に伸びる折目５８に沿って、裏表紙２２側に折り返して形成された部分である。折返部５４の端部は、接合部５６において接着剤等で裏表紙２２に接合されている。
【００６１】
図８の展開図に示すように、シート体５２は、表紙体１２（裏表紙２２）と一体的に繋がって形成されたものであり、裏表紙２２の右側辺２２ｃから伸び出て形成されている。シート体５２は折目５８及び折目６０において内側に折り返し、折返部５４を裏表紙２２に接着（接合）することで、図７のポケット収容部５０を作製できる。また、図１０に示すように、本実施形態のポケット収容部５０において、側辺封鎖部は、シート体５２を折り返してなる折目６０によって構成される。
【００６２】
図９に示すように、本実施形態のポケット収容部５０においても、折返部５４を設けたことにより、シート体５２が裏表紙２２から離間する方向に付勢され、シート体５２と裏表紙２２との間に隙間が形成される。これにより、厚みのあるポケット群１４を簡単にポケット収容部５０に収容することができる。また、折返部５４も第１実施形態の折返部３４と同様に機能する。このため、本実施形態に係るポケットファイル１０Ａにおいても、簡単な操作でポケット群１４をポケット収容部５０に挿入して保護できる。
【００６３】
上記において、本発明について好適な実施形態を挙げて説明したが、本発明は前記実施形態に限定されるものではなく、本発明の趣旨を逸脱しない範囲において、種々の改変が可能なことは言うまでもない。
【００６４】
例えば、ポケットファイル１０において、ポケット収容部２６の設置位置は、裏表紙２２の右側辺２２ｃと上辺２２ａとの角部２４ａ付近に限られるものではない。例えば、図１において、角部２４ｂ、２４ｃ、２４ｄの少なくとも一つに設けてもよい。
【００６５】
また、ポケット収容部２６は、第１の溶着部３０を折り返さずに裏表紙２２に溶着したものとなっているが、これに限定されるものではなく、第１の溶着部３０側にも折目及び折返部を設けた構造としてもよい。
【符号の説明】
【００６６】
１０、１０Ａ…ポケットファイル          １２…表紙体
１４…ポケット群                        １６…ポケット
１８…表表紙                            ２０…背表紙
２２…裏表紙                            ２６、５０…ポケット収容部
２８、５２…シート体                    ３０…第１の溶着部
３２、５８、６０…折目                  ３４、５４…折返部
３６…第２の溶着部                      ３８…案内部
４０…切欠部                            ４２、４４、４６、４８…溝部
【図１】
2019198992.tif 000003
【図２】
2019198992.tif 000004
【図３】
2019198992.tif 000005
【図４】
2019198992.tif 000006
【図５】
2019198992.tif 000007
【図６】
2019198992.tif 000008
【図７】
2019198992.tif 000009
【図８】
2019198992.tif 000010
【図９】
2019198992.tif 000011
【図１０】
2019198992.tif 000012